(57)【要約】【課題】炊飯器本体に回動自在な蓋体を開蓋方向に付勢するヒンジバネの疲労破壊による先端部の飛び出しを防止することを目的とする。【解決手段】炊飯器本体１と、炊飯器本体に着脱可能に装着した内鍋２と、炊飯器本体の内部に設けられ、内鍋を加熱する誘導コイル６と、炊飯器本体に回動自在に設けられた蓋体１２と、炊飯器本体の後部上方に設けられ、蓋体を開蓋方向に付勢するコイル部３１を有するヒンジバネ３０とを備え、ヒンジバネの一端側である係止部３２を炊飯器本体の後部上方に設けたヒンジカバー２９の内側カバー体２９ａに当接させ、ヒンジバネの他端側である棒状バネ部３３の先端部分を蓋体１２の後部側に設けたヒンジバネ係止部２７に押さえつけるように係止させ、ヒンジバネの棒状バネ部３３の先端に設けられた折れ曲がった鉤状係止部３４をヒンジバネ係止部により抜け止めさせるように係止したものである。【選択図】図１
2010088555.tif 000002
【特許請求の範囲】
【請求項１】
炊飯器本体と、該炊飯器本体に着脱可能に装着した内鍋と、該炊飯器本体の内部に設けられ、前記内鍋を加熱する加熱手段と、該炊飯器本体に回動自在に設けられた蓋体と、該炊飯器本体の後部上方に設けられ、ヒンジ軸にコイル部が巻き付けられ、該ヒンジ軸を回動軸として蓋体を開蓋方向に付勢するヒンジバネとを備えた炊飯器であって、
前記ヒンジバネの一端側を前記炊飯器本体の後部上方に設けたヒンジカバーの内側に当接させ、
前記ヒンジバネの他端側の先端部分を前記蓋体の後部側に設けたヒンジバネ係止部に係止させ、前記ヒンジバネの他端側の先端に設けられた折れ曲がった鉤状係止部を前記ヒンジバネ係止部により抜け止めさせるように係止したことを特徴とする炊飯器。
【請求項２】
前記鉤状係止部は略Ｌ字状をしていることを特徴とする請求項１記載の炊飯器。
【請求項３】
前記鉤状係止部はコイル状をしており、該鉤状係止部のコイル状部分に前記蓋体の後部側に設けたピン取付部材の水平ピンを挿入係止させたことを特徴とする請求項１記載の炊飯器。
【請求項４】
炊飯器本体と、該炊飯器本体に着脱可能に装着した内鍋と、該炊飯器本体の内部に設けられ、前記内鍋を加熱する加熱手段と、該炊飯器本体に回動自在に設けられた蓋体と、該炊飯器本体の後部上方に設けられ、ヒンジ軸にコイル部が巻き付けられ、該ヒンジ軸を回動軸として蓋体を開蓋方向に付勢するヒンジバネと、前記蓋体の前部に設けられたフックボタン係止部と、前記炊飯器本体の前部にフックバネによって常時外方に向けて付勢されるよう設けられ、前記フックボタン係止部に係止されて前記蓋体を閉めた状態にロックするフックボタンとを備えた炊飯器であって、
前記炊飯器本体の前方側に設けられ、前記フックボタンが前記蓋体を開放させるために押圧操作される押圧操作回数をカウントするカウンタと、
前記ヒンジバネの想定される疲労破壊に至る直前の前記フックボタンの押圧操作による前記蓋体の所定の開放回数を記憶する記憶手段と、
前記蓋体に設けられた表示部と、
前記カウンタがカウントした押圧操作回数が前記記憶手段が記憶している前記蓋体の所定の開放回数に達したときに、前記表示部にヒンジバネの交換を促すメッセージを表示させるよう制御する制御部と
を備えたことを特徴とする炊飯器。
【発明の詳細な説明】
【技術分野】
【０００１】
本発明は炊飯器に係り、特に炊飯器本体に回動自在に設けられた蓋体を常に開蓋方向に付勢するヒンジバネの係止構造に関するものである。
【背景技術】
【０００２】
従来の炊飯器は、内釜を加熱する加熱手段が内部に設けられ、内釜を着脱可能に装着した炊飯器本体と、該炊飯器本体の上部を開閉する蓋体と、炊飯器本体の上部に設けられ、ヒンジ軸を回動軸として蓋体を開蓋方向に付勢するヒンジバネを有し、そのヒンジバネの一端は炊飯器本体側に係止され、ヒンジバネの他端は蓋体に設けられた係止溝に係止され、ヒンジバネにより、常時蓋体に開放させる方向のトルクが与えられるようにしたものがあった（例えば、特許文献１参照）。
【特許文献１】特許第３７７４８４０号公報（第１頁、図５）
【発明の開示】
【発明が解決しようとする課題】
【０００３】
上記特許文献１に記載の従来の炊飯器は、蓋体の開閉によってヒンジバネが繰り返し応力を受け、ヒンジバネの疲労破壊限度を超えた時、ヒンジバネは最も応力集中する根元部で切断される。
このとき、ヒンジバネの先端側は開蓋方向へテンションを受けているため、切断された瞬間にヒンジバネは開蓋方向に飛び出していく。そのため、ヒンジバネを回動させるために設けられ開口部から、切断されたヒンジバネの先端側が炊飯器本体の外部へと飛び出すおそれがあるという問題があった。
本発明はかかる課題を解決するためになされたもので、炊飯器本体に回動自在に設けられた蓋体を開蓋方向に付勢するヒンジバネの疲労破壊による先端部の飛び出しを防止するようにした炊飯器を得ることを目的とする。
【課題を解決するための手段】
【０００４】
本発明に係る炊飯器は、炊飯器本体と、該炊飯器本体に着脱可能に装着した内鍋と、該炊飯器本体の内部に設けられ、前記内鍋を加熱する加熱手段と、該炊飯器本体に回動自在に設けられた蓋体と、該炊飯器本体の後部上方に設けられ、ヒンジ軸にコイル部が巻き付けられ、該ヒンジ軸を回動軸として蓋体を開蓋方向に付勢するヒンジバネとを備えた炊飯器であって、前記ヒンジバネの一端側を前記炊飯器本体の後部上方に設けたヒンジカバーの内側に当接させ、前記ヒンジバネの他端側の先端部分を前記蓋体の後部側に設けたヒンジバネ係止部に係止させ、前記ヒンジバネの他端側の先端に設けられた折れ曲がった鉤状係止部を前記ヒンジバネ係止部により抜け止めさせるように係止したものである。
【発明の効果】
【０００５】
本発明に係る炊飯器においては、炊飯器本体と、該炊飯器本体に着脱可能に装着した内鍋と、該炊飯器本体の内部に設けられ、前記内鍋を加熱する加熱手段と、該炊飯器本体に回動自在に設けられた蓋体と、該炊飯器本体の後部上方に設けられ、ヒンジ軸にコイル部が巻き付けられ、該ヒンジ軸を回動軸として蓋体を開蓋方向に付勢するヒンジバネとを備え、前記ヒンジバネの一端側を前記炊飯器本体の後部上方に設けたヒンジカバーの内側に当接させ、前記ヒンジバネの他端側の先端部分を前記蓋体の後部側に設けたヒンジバネ係止部に係止させ、前記ヒンジバネの他端側の先端に設けられた折れ曲がった鉤状係止部を前記ヒンジバネ係止部により抜け止めさせるように係止したので、ヒンジバネが疲労破壊して他端側の基端部が切断された場合、その他端側が開蓋方向への力を受けても、他端側の先端に設けられた折れ曲がった鉤状係止部がヒンジバネ係止部に抜け止めされるため、切断された他端側が開蓋方向に動くことはなく、切断された他端側が炊飯器本体の外部に飛び出すことが防止される。
【発明を実施するための最良の形態】
【０００６】
実施の形態１．
図１は本発明の実施の形態１の炊飯器の構成を示す断面図、図２は同炊飯器の蓋体を開いた状態の構成を示す斜視図、図３は同炊飯器の構成を示す断面図、図４は同炊飯器のヒンジバネの係止状態を示す斜視図、図５は同炊飯器のヒンジバネの構成を示す斜視図である。
図１〜図３において、炊飯器本体１は内部に内鍋２を備えており、外側に外枠１ａを有し、底部に底板１ｂを有している。
その内鍋２は、外面が磁性体金属で構成された有底筒状の容器で、開口部周縁に形成されたフランジ部が保護枠３の上部に懸架されている。
その保護枠３は、内鍋２を収納するための開口した下部の内鍋収納部３ａと、上部の支持枠３ｂと、側部の胴ヒータ４が貼付された側面放熱板３ｃとにより構成されている。
【０００７】
その保護枠３の内鍋収納部４に支持された加熱手段である誘導コイル６は、内鍋２の底部コーナー部に対向するように配設された側部誘導コイル６ａと、内鍋２の底部に対向するように配設された底部誘導コイル６ｂとからなっている。
フェライト８は、誘導コイル６の側部誘導コイル６ａ及び底部誘導コイル６ｂを覆うように形成され、内鍋収納部４に取り付けられたフェライト台９によって支持されている。
このフェライト８は、側部誘導コイル６ａ及び底部誘導コイル６ｂから発生する磁束が外部に漏れないように設けられたものである。
鍋温度検知手段であるサーミスタからなる底センサ１０は、内鍋収納部３ａの中央部を貫通して取り付けられ、内鍋２の底部に接触し、内鍋２に収容された炊飯物の温度を間接的に検知する。
【０００８】
炊飯器本体１の上部を覆う蓋体１２は、保護枠３の上部の支持枠３ｂに一体に成形されたヒンジ部５に設けられたヒンジ軸１３を介して開閉自在に支持されている。その蓋体１２の内面下部には蓋放熱板１４が取り付けられ、蓋放熱板１４の内面には蓋ヒータ１５が貼付されている。
また、蓋体１２の上部手前側には、各種の操作スイッチを設けた操作パネル１６が設けられている。さらに、蓋体１２の下面に、内蓋１７が着脱自在に取り付けられている。その内蓋１７の外周には蓋パッキング１８が取り付けられている。
また、操作パネル１６の下方には、表示部取付枠１９が配設され、その表示部取付枠１９の下部に表示基板２０が取り付けられ、表示部取付枠１９の上部に操作状態を表示する表示手段である液晶表示部２１が取り付けられている。
【０００９】
また、蓋体１２の後部寄りに、蒸気口カートリッジ２２が配設されており、その蒸気口カートリッジ２２の内部には蒸気通路２３が形成されており、蒸気口カートリッジ２２の下部には、炊飯中にカートリッジ内部に溜まったおねばを釜内が常温に戻った際に戻すためのおねば戻し弁２４が取り付けられている。２５は炊飯器本体１に取り付けられたハンドルである。
さらに、蓋体１２の後部には、ヒンジ軸１３に巻き付けられ、蓋体１２を常時開蓋方向に付勢するヒンジバネ３０が設けられている。
そのヒンジバネ３０は、図５に示すように、ヒンジ軸１３に巻き付けられる２つのコイル部３１と、２つのコイル部３１を繋ぎ、一端側となるＵ字状の係止部３２と、各コイル部３１の端部からそれぞれ直線状に延びる他端側となる棒状バネ部３３と、棒状バネ部３３の先端でＬ字状に折れ曲がった鉤状係止部３４とから構成されている。
【００１０】
このヒンジバネ３０のＵ字状の係止部３２は炊飯器本体１の外枠１ａの後部側に取り付けられた断面逆Ｖ字状のヒンジカバー２９の内側カバー体２９ａに当接され、ヒンジバネ３０の２つの棒状バネ部３３の先端側を、蓋体１２の下部で内蓋１７より上方に取り付けられている仕切板２６に設けられたヒンジバネ係止部２７が押さえ付けるように係止すると共に２つの鉤状係止部３４がヒンジバネ係止部２７に抜け止め状態に係止されている。２６ａは仕切板２６に設けられた蒸気カートリッジ受穴である。
そして、このヒンジバネ３０はＵ字状の係止部３２と棒状バネ部３３とが開脚するように付勢されているので、ヒンジバネ３０により、蓋体１２が炊飯器本体１に対して開蓋方向に常時付勢されている。
【００１１】
このように、ヒンジバネ３０は、蓋体１２を炊飯器本体１に対して開蓋方向に常時付勢している。
従って、炊飯器本体１に対して蓋体１２を閉めた状態にロックするために、蓋体１２の前部にはフックボタン係止部３５が設けられ、炊飯器本体１の前部には蓋体１２のフックボタン係止部３５に係止させるフックボタン３６が設けられている。そのフックボタン３６はフックバネ３７によって常時外方に向けて付勢されており、フックバネ３７の基端部は炊飯器本体１の前方側にある支持枠３ｂの水平部分に保持されている。
【００１２】
炊飯器本体１の後部には、制御基板４５が配設され、その制御基板４５に制御手段（図示省略）を有する制御回路４６が設けられている。
その制御手段は、マイコンからなり、予め格納されたプログラムに従って炊飯から保温の各工程を実施する。
【００１３】
次に、本発明の実施の形態１の炊飯器の動作について説明する。
炊飯時には、内鍋２を誘導コイル６により電磁誘導加熱して、底センサ１０の検出温度と、時間管理とに基づいて、内鍋２への加熱量を調節する。
具体的には炊飯時には内鍋２に入れた被炊飯物たる米と水を加熱し、内鍋２の温度を検出する底センサ１０が所定の炊きあげ温度（１２０℃）に達したら、炊飯加熱を停止して蒸らしに移行し、この蒸らしを１５分継続して、内鍋２内のご飯を炊く構成となっている。
また、炊飯加熱に引き続き保温加熱が行われる。この保温加熱は、内鍋２を誘導コイル６により電磁誘導加熱して、底センサ１０の検出温度と、時間管理とに基づいて、内鍋２への加熱量を調節し、底センサ１０で検出される内鍋２の温度を６０℃から８０℃に保持するものである。
【００１４】
この実施の形態１では、蓋体１２を炊飯器本体１に対して開蓋方向に常時付勢するヒンジバネ３０は、そのＵ字状の係止部３２が炊飯器本体１の外枠１ａの後部側に取り付けられた断面逆Ｖ字状のヒンジカバー３１の内側カバー体３１ａに当接され、その２つの棒状バネ部３３の先端側を、蓋体１２の下部の仕切板２６に設けられたヒンジバネ係止部２７が押さえ付けるように係止させると共に２つの鉤状係止部３４がヒンジバネ係止部２７に抜け止め状態に係止されているので、ヒンジバネ３０が疲労破壊して棒状バネ部３３の基端部が切断された場合、その棒状バネ部３３が開蓋方向への力を受けても、棒状バネ部３３の先端側に設けられたＬ字状に折れ曲がった鉤状係止部３４がヒンジバネ係止部２７に抜け止めされるため、切断された棒状バネ部３３が開蓋方向に動くことはなく、切断された棒状バネ部３３が炊飯器本体１の外部に飛び出すことが防止される。
【００１５】
実施の形態２．
図６は本発明の実施の形態２の炊飯器のヒンジバネの係止状態を示す斜視図、図７は同炊飯器のヒンジバネの構成を示す斜視図である。
この実施の形態２は、実施の形態１とヒンジバネの係止状態の構成が異なるだけで、他の構成は実施の形態１と同様であるので、同一の構成は同一符号を付して重複した構成の説明を省略する。
この実施の形態２は、実施の形態１とヒンジバネ３０の一部の構成が異なるもので、図７に示すように、ヒンジバネ３０の各棒状バネ部３３の先端がコイル状の鉤状係止部３５として構成されている。
そして、ヒンジバネ３０のＵ字状の係止部３２は実施の形態１と同様に、炊飯器本体１の外枠１ａの後部側に取り付けられた断面逆Ｖ字状のヒンジカバー３１の内側カバー体３１ａに当接されているが、ヒンジバネ３０の２つの各棒状バネ部３３の先端側が仕切板２６に設けられたヒンジバネ係止部２７に押さえ付けられるよう抜け止め状態に係止されていると共にコイル状の鉤状係止部３４のコイル部分に仕切板２６に設けられたピン取付部材４０の水平ピン４１が挿入係止されている。
【００１６】
この実施の形態２では、蓋体１２を炊飯器本体１に対して開蓋方向に常時付勢するヒンジバネ３０は、そのＵ字状の係止部３２は炊飯器本体１の外枠１ａの後部側に取り付けられた断面逆Ｖ字状のヒンジカバー２９の内側カバー体２９ａに当接され、その２つの各棒状バネ部３３の先端側を、蓋体１２の下部の仕切板２６に設けられたヒンジバネ係止部２７が押さえ付けるように係止されると共に２つのコイル状の鉤状係止部３４のコイル部分に仕切板２６に設けられたピン取付部材４０の水平ピン４１が挿入係止されているので、ヒンジバネ３０が疲労破壊して棒状バネ部３３の基端部が切断された場合、その切断された棒状バネ部３３が開蓋方向への力を受けても、棒状バネ部３３の先端側に設けられたコイル状の鉤状係止部３４のコイル部分に仕切板２６に設けられたピン取付部材４０の水平ピン４１が挿入係止されて抜け止めされるため、切断された棒状バネ部３３が開蓋方向に動くことはなく、切断された棒状バネ部３３が炊飯器本体１の外部に飛び出すことが防止される。
この実施の形態２では、棒状バネ部３３の先端側に設けられたコイル状の鉤状係止部３４のコイル部分に仕切板２６に設けられたピン取付部材４０の水平ピン４１が挿入係止されているため、実施の形態１に比べて、より一層の抜け止めが期待される。
【００１７】
実施の形態３．
図８は本発明の実施の形態３の炊飯器のフックボタンによる蓋体閉時の状態を示す断面図、図９は同炊飯器のフックボタンによる蓋体開の直前の状態を示す断面図である。
この実施の形態３では、上記実施の形態１、２の他に、炊飯器本体１の前方側にある支持枠３ｂの水平部分にカウンタ５０が取り付けられている。
そして、フックボタン２７が蓋体１２を開放させるために押圧操作される押圧操作回数をカウンタ５０がカウントするように構成されている。
そして、カウンタ５０がカウントしたフックボタン２７の押圧操作回数が制御部に送られる、制御部はＲＡＭ記憶部（図示省略）にそのフックボタン２７の押圧操作回数を記憶させる。
また、ヒンジバネ３０の想定される疲労破壊に至るフックボタン２７の押圧操作による蓋体１２の開放回数の８割から９割の疲労破壊直前の蓋体１２の所定の開放回数をＲＯＭ記憶手段（図示省略）に記憶させておく。  
【００１８】
従って、カウンタ５０がカウントしたフックボタン２７の押圧操作回数がＲＯＭ記憶手段（図示省略）に記憶されている想定されるヒンジバネ３０の疲労破壊に至る直前の蓋体１２の所定の開放回数に達した場合、制御部は液晶表示部２１にヒンジバネ５０の交換を促すメッセージを表示させる。
かかる液晶表示部２１のヒンジバネ５０の交換を促すメッセージの表示を見た使用者が、ヒンジバネ５０の交換を行う対策を講じることにより、ヒンジバネ３０が疲労破壊して棒状バネ部３３の基端部が切断してしまうということがなくなる。
この実施の形態３のカウンタ５０を上記実施の形態１、２の構成の炊飯器に設けても良いことはいうまでもなく、より安全性が確保される。
また、従来のようにヒンジバネの一端は炊飯器本体側に係止され、ヒンジバネの他端は蓋体に設けられた係止溝に係止し、ヒンジバネ３０が疲労破壊し、切断された棒状部分が炊飯器本体１の外部に飛び出すおそれがある炊飯器に、この実施の形態３のカウンタ５０を設けた場合には、カウンタ５０がカウントしたフックボタン２７の押圧操作回数がＲＯＭ記憶手段（図示省略）に記憶されている想定されるヒンジバネ３０の疲労破壊に至る直前の蓋体１２の所定の開放回数に達した場合、制御部は液晶表示部２１にヒンジバネ５０の交換を促すメッセージを表示させることは、安全面から有効な対策となる。
【図面の簡単な説明】
【００１９】
【図１】本発明の実施の形態１の炊飯器の構成を示す断面図。
【図２】同炊飯器の蓋体を開いた状態の構成を示す斜視図。
【図３】同炊飯器の構成を示す断面図。
【図４】同炊飯器のヒンジバネの係止状態を示す斜視図。
【図５】同炊飯器のヒンジバネの構成を示す斜視図。
【図６】本発明の実施の形態２の炊飯器のヒンジバネの係止状態を示す斜視図。
【図７】同炊飯器のヒンジバネの構成を示す斜視図。
【図８】本発明の実施の形態３の炊飯器のフックボタンによる蓋体閉時の状態を示す断面図。
【図９】同炊飯器のフックボタンによる蓋体開の直前の状態を示す断面図。
【符号の説明】
【００２０】
１  炊飯器本体、２  内鍋、５  ヒンジ部、６  誘導コイル（加熱手段）、１２  蓋体、１３  ヒンジ軸、１４  蓋放熱板、１５  蓋ヒータ、１６  操作パネル、１７  内蓋、２６  仕切板、２９  ヒンジカバー、２９ａ  内側カバー体、３０  ヒンジバネ、３１  コイル部、３２  係止部、３３  棒状バネ部、３４  鉤状係止部、３７  フックボタン係止部、３８  フックボタン、３９  フックバネ。
【図１】
2010088555.tif 000003
【図２】
2010088555.tif 000004
【図３】
2010088555.tif 000005
【図４】
2010088555.tif 000006
【図５】
2010088555.tif 000007
【図６】
2010088555.tif 000008
【図７】
2010088555.tif 000009
【図８】
2010088555.tif 000010
【図９】
2010088555.tif 000011